(57)【要約】【課題】全てのリソース情報を直ちに読み出すことができる状態であらかじめ記憶しておくことにより、障害が発生した際に早期に信号処理を再開することができ、障害の発生による影響を最小限に抑えること。【解決手段】制御部１０２は、送信信号処理部１０８−１〜１０８−ｎに障害が発生した際には、記憶している各送信信号処理部１０８−１〜１０８−ｎのリソース情報を参照して、障害が発生した送信信号処理部１０８−１〜１０８−ｎのリソース以上の空きリソースがある予備送信信号処理部１１０または送信信号処理部１０８−１〜１０８−ｎを選択する。そして、制御部１０２は、リソース情報を記憶している記憶部１０７−１〜１０７−ｎ、１０９へリソース情報を出力するように指示する。予備の送信信号処理部１１０または送信信号処理部１０８−１〜１０８−ｎは障害が発生した送信信号処理部１０８−１〜１０８−ｎの信号処理を代行する。【選択図】      図１
2004355273.tif 000002
【特許請求の範囲】
【請求項１】
制御コマンドを実行することにより信号処理を行う同一機能を有する複数の信号処理手段と、
障害が発生した信号処理手段である使用不能信号処理手段を検出する検出手段と、
前記信号処理手段の各々に対して専用に設けられ、前記信号処理手段毎のリソース情報を記憶する記憶手段と、
前記リソース情報に基づいて信号処理手段を選択し、前記使用不能信号処理手段の前記制御コマンドを含む前記リソース情報を、選択した前記信号処理手段へ出力するように、選択した前記信号処理手段専用の前記記憶手段に対して指示する指示手段と、
を具備することを特徴とする冗長装置。
【請求項２】
前記指示手段は、前記使用不能信号処理手段のリソース以上の空きリソースを有する正常な信号処理手段の前記空きリソースを、前記使用不能信号処理手段のリソースとして割り当てることにより信号処理手段を選択することを特徴とする請求項１記載の冗長装置。
【請求項３】
前記指示手段により前記使用不能信号処理手段の信号処理を行うように指示された前記信号処理手段は、前記指示手段により前記使用不能信号処理手段の信号処理を指示される前の信号処理と前記指示手段により指示された前記使用不能信号処理手段の信号処理との両方の信号処理を行うことを特徴とする請求項１または請求項２記載の冗長装置。
【請求項４】
前記信号処理手段は、障害が発生していない場合には信号処理を行わない予備の信号処理手段と障害が発生していない場合に信号処理を行う運用信号処理手段とからなり、前記指示手段は、障害が発生した場合には最初に前記予備の信号処理手段を選択し、前記予備の信号処理手段の空きリソースが前記使用不能信号処理手段のリソース未満の場合に、前記使用不能信号処理手段のリソース以上の空きリソースを有する正常な前記運用信号処理手段の前記空きリソースを、前記使用不能信号処理手段のリソースとして割り当てることにより正常な前記運用信号処理手段を選択することを特徴とする請求項１から請求項３のいずれかに記載の冗長装置。
【請求項５】
前記記憶手段と前記信号処理手段とは同じ数だけ設けられるとともに、１つの前記信号処理手段と１つの前記記憶手段とからなるユニットを複数有し、複数の前記ユニットは各々が独立して信号処理を行うことを特徴とする請求項１から請求項４のいずれかに記載の冗長装置。
【請求項６】
請求項１から請求項５のいずれかに記載の冗長装置を具備することを特徴とする通信装置。
【請求項７】
障害が発生した信号処理手段である使用不能信号処理手段を検出するステップと、
前記信号処理手段の各々に対して専用に設けられる記憶手段に、前記信号処理手段毎のリソース情報を記憶するステップと、
前記リソース情報に基づいて前記信号処理手段を選択するステップと、
前記使用不能信号処理手段の制御コマンドを含む前記リソース情報を、選択した前記信号処理手段へ出力するように、選択した前記信号処理手段専用の前記記憶手段に対して指示するステップと、
を具備することを特徴とする冗長方法。
【発明の詳細な説明】
【０００１】
【発明の属する技術分野】
本発明は、冗長装置及び冗長方法に関し、特に故障ユニットが生じた際に故障ユニットにおける処理を代替えのユニットにて処理する冗長装置及び冗長方法に関する。
【０００２】
【従来の技術】
従来、システムに障害が発生した際にシステムダウンすることを防ぐために用いられるシステムとして、二重化またはＮ＋１冗長化システムが知られている。二重化とは、同一の装置を２台設置し１台が障害になった場合にも、正常な装置で運転を続行する方式である。また、Ｎ＋１冗長化システムとは、Ｎ台の装置に対して１台の装置を共通の予備として設置する方式である（例えば、特許文献１参照。）。
【０００３】
図１３及び図１４は、Ｎ＋１冗長化システムを基地局装置に適用する場合について示したものである。図１３に示すように、基地局装置１３０１が端末と通信を行うエリアであるセルは、さらにセクタＳ１〜Ｓ６と呼ばれるエリアに細分化されており、基地局装置１３０１は、各セクタに存在する移動機へ送信する信号をセクタ毎に独立した処理部にて処理する。即ち、基地局装置１３０１は、図１４に示すように、各セクタＳ１〜Ｓ６に対応した信号処理部１４０１−１〜１４０１−６を有しており、さらに予備の信号処理部１４０２を有している。図１４より、各セクタに存在する端末へ送信する送信信号は、バス１４０３を介して対応する各信号処理部１４０１−１〜１４０１−６に入力され、各信号処理部１４０１−１〜１４０１−６にて変調等の処理が施される。そして、処理された送信信号は、バス１４０４に出力されて図示しないアンテナより各セクタＳ１〜Ｓ６に存在する端末へ送信される。
【０００４】
そして、基地局装置１３０１において、例えばセクタＳ１へ送信する信号の信号処理部１４０１−１が故障により使用不能に陥った場合には、予備の信号処理部１４０２を立ち上げて、故障した信号処理部１４０１−１の状態を予備の信号処理部１４０２に移行して、故障が直るまでは予備の信号処理部１４０２にて信号処理を代行するものである。これにより、基地局装置１３０１の信号処理部１４０１−１〜１４０１−６のシステムダウンを防止することができる。
【０００５】
【特許文献１】
特開２００１−２０９６２７号公報
【０００６】
【発明が解決しようとする課題】
しかしながら、従来の冗長装置及び冗長方法においては、障害発生時に運用系の信号処理部から予備系の信号処理部に切り替えを行う際、予備系の信号処理部は、障害が発生した信号処理部等より共有のバスを介して制御コマンド等を読み込む必要があるので、運用状態を予備系に移行するのに時間が掛かり、システムダウンを防ぐことはできるものの障害の発生により大きく影響を受けるという問題がある。
【０００７】
本発明はかかる点に鑑みてなされたものであり、全てのリソース情報を直ちに読み出すことができる状態であらかじめ記憶しておくことにより、障害が発生した際に早期に信号処理を再開することができ、障害の発生による影響を最小限に抑えることができる冗長装置及び冗長方法を提供することを目的とする。
【０００８】
【課題を解決するための手段】
本発明の冗長装置は、制御コマンドを実行することにより信号処理を行う同一機能を有する複数の信号処理手段と、障害が発生した信号処理手段である使用不能信号処理手段を検出する検出手段と、前記信号処理手段の各々に対して専用に設けられ、前記信号処理手段毎のリソース情報を記憶する記憶手段と、前記リソース情報に基づいて信号処理手段を選択し、前記使用不能信号処理手段の前記制御コマンドを含む前記リソース情報を、選択した前記信号処理手段へ出力するように、選択した前記信号処理手段専用の前記記憶手段に対して指示する指示手段と、を具備する構成を採る。
【０００９】
この構成によれば、リソース情報をあらかじめ記憶手段に記憶し、障害が発生した場合、指示手段は、代替えの信号処理手段に切り替える指示メッセージを送信するだけで代替えの信号処理手段は障害が発生した信号処理手段のリソース情報を専用の記憶手段から読み出すので、指示手段が障害の発生した信号処理手段のリソース情報を代替えの信号処理手段へ送信する必要がなくなる。さらに、リソース情報は専用の記憶手段より読み出すことができるので、代替えの信号処理手段を短時間にて運用状態にすることができる。また、障害が発生した信号処理手段のリソース情報は、専用の記憶手段から読み出すことができ、障害発生後に共有のバスを介して代替えの信号処理手段に読み込む必要がないので、信号処理手段を運用状態に移行する際にトラフィック量の増加等により情報漏れが生じることを防止することができる。また、指示手段は、リソース情報に基づいて複数の信号処理手段の中から障害が発生した信号処理手段の代替えの信号処理手段を選択するので、例えばＮ＋１冗長化システムを用いる際に、予備系の信号処理手段がすでに使用されている場合には、障害が発生した信号処理手段の代替えの信号処理手段として予備系の信号処理手段以外の他の信号処理手段を選択することにより、システムダウンすることを防止することができる。
【００１０】
本発明の冗長装置は、前記構成において、前記指示手段は、前記使用不能信号処理手段のリソース以上の空きリソースを有する正常な信号処理手段の前記空きリソースを、前記使用不能信号処理手段のリソースとして割り当てることにより信号処理手段を選択する構成を採る。
【００１１】
この構成によれば、前記効果に加えて、使用不能信号処理手段の代替えとして、使用不能信号処理のリソース以上の空きリソースがある正常な信号処理手段を選択するので、空きリソースに応じて柔軟に代替えの信号処理手段を選択することができる。
【００１２】
本発明の冗長装置は、前記構成において、前記指示手段により前記使用不能信号処理手段の信号処理を行うように指示された前記信号処理手段は、前記指示手段により前記使用不能信号処理手段の信号処理を指示される前の信号処理と前記指示手段により指示された前記使用不能信号処理手段の信号処理との両方の信号処理を行う構成を採る。
【００１３】
この構成によれば、前記効果に加えて、使用不能信号処理手段のリソースが割り当てられた場合であっても、自分の本来の割り当てられた信号処理と使用不能信号処理手段の信号処理との両方を同時に行うことができるので、障害が発生した場合にシステム全体として信号処理能力が低下することを防止することができる。
【００１４】
本発明の冗長装置は、前記構成において、前記信号処理手段は、障害が発生していない場合には信号処理を行わない予備の信号処理手段と障害が発生していない場合に信号処理を行う運用信号処理手段とからなり、前記指示手段は、障害が発生した場合には最初に前記予備信号処理手段を選択し、前記予備の信号処理手段の空きリソースが前記使用不能信号処理手段のリソース未満の場合に、前記使用不能信号処理手段のリソース以上の空きリソースを有する正常な前記運用信号処理手段の前記空きリソースを、前記使用不能信号処理手段のリソースとして割り当てることにより正常な前記運用信号処理手段を選択する構成を採る。
【００１５】
この構成によれば、前記効果に加えて、障害が発生した際の代替えの信号処理手段として、予備系信号処理手段の空きリソースが不足する場合には正常な運用系信号処理手段を使用するので、予備系信号処理手段のリソース不足によりシステムダウンすることを防止することができる。
【００１６】
本発明の冗長装置は、前記構成において、前記記憶手段と前記信号処理手段とは同じ数だけ設けられるとともに、１つの前記信号処理手段と１つの前記記憶手段とからなるユニットを複数有し、複数の前記ユニットは各々が独立して信号処理を行う構成を採る。
【００１７】
この構成によれば、前記効果に加えて、各信号処理手段と全ての信号処理手段のリソース情報を記憶する記憶手段との組み合わせによりユニットが構成されるので、信号処理手段が記憶手段よりリソース情報を読み出す際に伝送路を共用する必要がなくてリソース情報を読み出しが迅速に行えるとともに、信号処理手段と記憶部とをカード化等することが可能になって、障害が発生した際の交換が容易であり装置を小型化することができる。
【００１８】
本発明の通信装置は、前記のいずれかに記載の冗長装置を具備する構成を採る。
【００１９】
この構成によれば、リソース情報をあらかじめ記憶手段に記憶し、障害が発生した場合、指示手段が障害の発生した信号処理手段のリソース情報を代替えの信号処理手段へ送信する必要がなく、さらにリソース情報は専用の記憶手段より読み出すことができるので、代替えの信号処理手段を短時間にて運用状態にすることができ、通信中に障害の発生の影響を受けることを防止することができる。また、指示手段は、リソース情報に基づいて複数の信号処理手段の中から障害が発生した信号処理手段の代替えの信号処理手段を選択するので、例えばＮ＋１冗長化システムを用いる際に、予備系の信号処理手段がすでに使用されている場合には、障害が発生した信号処理手段の代替えの信号処理手段として予備系の信号処理手段以外の他の信号処理手段を選択することにより、システムダウンすることを防止して通信できない状態になることを防止することができる。
【００２０】
本発明の冗長方法は、障害が発生した信号処理手段である使用不能信号処理手段を検出するステップと、前記信号処理手段の各々に対して専用に設けられる記憶手段に、前記信号処理手段毎のリソース情報を記憶するステップと、前記リソース情報に基づいて前記信号処理手段を選択するステップと、前記使用不能信号処理手段の制御コマンドを含む前記リソース情報を、選択した前記信号処理手段へ出力するように、選択した前記信号処理手段専用の前記記憶手段に対して指示するステップと、を具備するようにした。
【００２１】
この方法によれば、リソース情報をあらかじめ記憶手段に記憶し、障害が発生した場合、指示手段は、代替えの信号処理手段に切り替える指示メッセージを送信するだけで代替えの信号処理手段は障害が発生した信号処理手段のリソース情報を専用の記憶手段から読み出すので、指示手段が障害の発生した信号処理手段のリソース情報を代替えの信号処理手段へ送信する必要がなく、さらにリソース情報は専用の記憶手段より読み出すことができるので、代替えの信号処理手段を短時間にて運用状態にすることができる。また、障害が発生した信号処理手段のリソース情報は、専用の記憶手段から読み出すことができ、障害発生後に共有のバスを介して代替えの信号処理手段に読み込む必要がないので、信号処理手段を運用状態に移行する際にトラフィック量の増加等により情報漏れが生じることを防止することができる。また、指示手段は、リソース情報に基づいて複数の信号処理手段の中から障害が発生した信号処理手段の代替えの信号処理手段を選択するので、例えばＮ＋１冗長化システムを用いる際に、予備系の信号処理手段がすでに使用されている場合には、障害が発生した信号処理手段の代替えの信号処理手段として予備系の信号処理手段以外の他の信号処理手段を選択することにより、システムダウンすることを防止することができる。
【００２２】
【発明の実施の形態】
本発明の骨子は、信号処理部毎のリソース情報を各信号処理部に対して専用に設けられる記憶部に記憶し、信号処理部に障害が発生した際には、障害が発生した信号処理部のリソースを割り当てることができる空きリソースを有する代替えの信号処理部が、記憶部に記憶されている障害が発生した信号処理部のリソース情報に含まれる制御コマンドを実行することにより、障害が発生した信号処理部の信号の処理を行うことである。
【００２３】
以下、本発明の実施の形態について、図面を参照して詳細に説明する。
【００２４】
（実施の形態１）
図１は、本実施の形態１に係る送信装置１００の構成を示す図である。
【００２５】
送信信号処理部１０８−１〜１０８−ｎ及び記憶部１０７−１〜１０７−ｎは、各々１つずつが対でユニット化されて信号処理ユニット１１４−１〜１１４−ｎを構成している。また、予備の送信信号処理部１１０及び記憶部１０９は、ユニット化されて予備の信号処理ユニット１１５を構成している。また、監視部１０１、制御部１０２、リソース情報生成部１０３、記憶部１０７−１〜１０７−ｎ、送信信号処理部１０８−１〜１０８−ｎ、記憶部１０９及び予備の送信信号処理部１１０は冗長装置１１６を構成している。
【００２６】
検出手段である監視部１０１は、各送信信号処理部１０８−１〜１０８−ｎに使用不能となるような障害が発生しているか否かを監視しており、障害が発生した場合には障害情報より障害が発生した送信信号処理部１０８−１〜１０８−ｎ（使用不能信号処理手段）を特定して制御部１０２に通知する。
【００２７】
指示手段である制御部１０２は、リソース情報生成部１０３から入力した各送信信号処理部１０８−１〜１０８−ｎ及び予備の送信信号処理部１１０のリソース情報を記憶する。そして、制御部１０２は、監視部１０１から障害が発生した送信信号処理部１０８−１〜１０８−ｎの情報を受け取った場合には、記憶しているリソース情報を参照して、最初に、予備の送信信号処理部１１０が使用中であるか否か、使用中であれば予備の送信信号処理部１１０の空きリソースが障害の発生した送信信号処理部１０８−１〜１０８−ｎのリソース以上あるか否かを判定する。そして、制御部１０２は、予備の送信信号処理部１１０が未使用である場合または予備の送信信号処理部１１０の空きリソースが障害の発生した送信信号処理部１０８−１〜１０８−ｎのリソース以上ある場合には、予備の送信信号処理部１１０の専用の記憶部１０９宛に、障害が発生した送信信号処理部１０８−１〜１０８−ｎのリソース情報に含まれる制御コマンドを設定する旨のメッセージを伝送路へ出力する。伝送路１１７は、各送信信号処理部１０８−１〜１０８−ｎと予備の送信信号処理部１１０とで共有している。
【００２８】
一方、制御部１０２は、予備の送信信号処理部１１０の空きリソースが障害の発生した送信信号処理部１０８−１〜１０８−ｎのリソース未満である場合には、記憶しているリソース情報を参照して、障害が発生した送信信号処理部１０８−１〜１０８−ｎのリソースを割り当てることができる空きリソースを有する他の正常な送信信号処理部１０８−１〜１０８−ｎを探して、探した正常な送信信号処理部１０８−１〜１０８−ｎの専用の記憶部１０７−１〜１０７−ｎ宛に、障害が発生した送信信号処理部１０８−１〜１０８−ｎのリソース情報に含まれる制御コマンドを設定する旨のメッセージを伝送路１１７へ出力する。なお、制御部１０２の詳細については、後述する。
【００２９】
リソース情報生成部１０３は、図示しない上位局からの信号に含まれる複数のユーザ情報に基づいてユーザ管理を行っている。ユーザ情報は、ユーザが現在居るセクタの情報及びユーザが使用しているサービスの種類の情報等の通信を維持するのに必要な情報である。そして、リソース情報生成部１０３は、ユーザ情報より各送信信号処理部１０８−１〜１０８−ｎのリソース情報を生成して制御部１０２と記憶部１０７−１〜１０７−ｎへ出力する。リソース情報は、送信信号処理部１０８−１〜１０８−ｎ単位または予備の送信信号処理部１１０単位の情報であり、各送信信号処理部１０８−１〜１０８−ｎ及び予備の送信信号処理部１１０の必要なリソースの情報、各送信信号処理部１０８−１〜１０８−ｎ及び予備の送信信号処理部１１０の空きリソースの情報及び通信するための環境を設定するパラメータ等から構成される制御コマンドを含むものである。
【００３０】
符号化部１０４−１〜１０４−ｎは、送信信号を符号化してバス１０５へ出力する。
【００３１】
バス１０５は、各符号化部１０４−１〜１０４−ｎから出力された送信信号の伝送路であり、セレクタ部１０６へ送信信号を出力する。バス１０５にて伝送される送信信号は、各送信信号処理部１０８−１〜１０８−ｎにて処理されるものである。
【００３２】
セレクタ部１０６は、送信信号処理部１０８−１〜１０８−ｎ及び予備の送信信号処理部１１０より要求される送信信号を、各送信信号処理部１０８−１〜１０８−ｎ及び予備の送信信号処理部１１０へ選択的に出力する。即ち、セレクタ部１０６は、送信信号処理部１０８−１〜１０８−ｎより自身が処理する送信信号のみを要求された場合には、各送信信号処理部１０８−１〜１０８−ｎにて処理される送信信号を要求された送信信号処理部１０８−１〜１０８−ｎへ出力し、送信信号処理部１０８−１〜１０８−ｎより自身が処理する送信信号と障害が発生した他の送信信号処理部１０８−１〜１０８−ｎにて処理されるはずであった送信信号とを要求された場合には、自身の送信信号と障害が発生した送信信号処理部１０８−１〜１０８−ｎにて処理されるはずであった送信信号との両方の送信信号を、要求された送信信号処理部１０８−１〜１０８−ｎへ出力する。また、セレクタ部１０６は、予備の送信信号処理部１１０より障害が発生した送信信号処理部１０８−１〜１０８−ｎにて処理されるはずであった送信信号を要求された場合には、障害が発生した送信信号処理部１０８−１〜１０８−ｎにて処理されるはずであった送信信号を、予備の送信信号処理部１１０へ出力する。
【００３３】
記憶手段である記憶部１０７−１〜１０７−ｎは、制御部１０２から入力した全ての送信信号処理部１０８−１〜１０８−ｎのリソース情報を記憶する。そして、記憶部１０７−１〜１０７−ｎは、制御部１０２の指示により、記憶している障害が発生した送信信号処理部１０８−１〜１０８−ｎのリソース情報に含まれる制御コマンドを送信信号処理部１０８−１〜１０８−ｎへ出力する。記憶部１０７−１〜１０７−ｎは、各々が何れか１つの送信信号処理部１０８−１〜１０８−ｎへのみリソース情報を出力するものであり、各々が何れか１つの送信信号処理部１０８−１〜１０８−ｎに対して専用に設けられるものである。
【００３４】
信号処理手段であって運用信号処理手段である送信信号処理部１０８−１〜１０８−ｎは、各々が他の送信信号処理手段１０８−１〜１０８−ｎとは独立して信号処理を行うものであり、記憶部１０７−１〜１０７−ｎにて記憶されているリソース情報に含まれる制御コマンドを実行することにより、処理すべき送信信号を送るようにセレクタ部１０６へ要求する。即ち、送信信号処理部１０８−１〜１０８−ｎは、記憶部１０７−１〜１０７−ｎから自身の送信信号のみを処理する制御コマンドが入力した場合には、自身が処理する送信信号のみを送るようにセレクタ部１０６に要求し、記憶部１０７−１〜１０７−ｎから自身の送信信号を処理する制御コマンドと障害が発生した送信信号処理部１０８−１〜１０８−ｎにて処理されるはずであった送信信号を処理する制御コマンドとの両方の制御コマンドが入力した場合には、自身が処理する送信信号と障害が発生した送信信号処理部１０８−１〜１０８−ｎにて処理されるはずであった送信信号との両方を送るようにセレクタ部１０６に要求する。
【００３５】
そして、送信信号処理部１０８−１〜１０８−ｎは、セレクタ部１０６から入力した送信信号に対して、信号拡散及び多重処理等のＷ−ＣＤＭＡの信号処理を行い、セレクタ部１１１へ出力する。なお、送信信号処理部１０８−１〜１０８−ｎは、Ｗ−ＣＤＭＡの信号を処理する場合に限らず、ＯＦＤＭまたはＣＤＭＡ等の信号の処理をするようにしても良い。送信信号処理部１０８−１〜１０８−ｎの詳細については、後述する。
【００３６】
記憶手段である記憶部１０９は、制御部１０２から入力した全ての送信信号処理部１０８−１〜１０８−ｎのリソース情報を記憶する。そして、記憶部１０９は、制御部１０２の指示により、記憶している障害が発生した送信信号処理部１０８−１〜１０８−ｎのリソース情報に含まれる制御コマンドを送信信号処理部１０９へ出力する。
【００３７】
信号処理手段であって予備の信号処理手段である予備の送信信号処理部１１０は、全ての送信信号処理部１０８−１〜１０８−ｎが正常である場合には信号処理を行わない待機状態となる。予備の送信信号処理部１１０は、何れかの送信信号処理部１０８−１〜１０８−ｎに障害が発生した場合には、記憶部１０９から入力したリソース情報に含まれる制御コマンドを実行することにより、処理すべき送信信号を送るようにセレクタ部１０６へ要求する。
【００３８】
そして、予備の送信信号処理部１１０は、セレクタ部１０６から入力した障害が発生した送信信号処理部１０８−１〜１０８−ｎの送信信号に対して、信号拡散及び多重処理等のＷ−ＣＤＭＡの信号処理を行い、セレクタ部１１１へ出力する。全ての送信信号処理部１０８−１〜１０８−ｎ及び予備の送信信号処理部１１０は、物理的に同一構成であってかつ同一の機能を有するものであり、送信装置１００に組み込んでセットした位置が予備系となる送信信号処理部が、予備の送信信号処理部１１０になる。なお、予備の送信信号処理部１１０は、Ｗ−ＣＤＭＡの信号を処理する場合に限らず、ＯＦＤＭまたはＣＤＭＡ等の信号の処理をするようにしても良い。
【００３９】
セレクタ部１１１は、送信信号処理部１０８−１〜１０８−ｎから入力した送信信号、または送信信号処理部１０８−１〜１０８−ｎから入力した送信信号と予備の送信信号処理部１１０から入力した送信信号を対応するセクタに送信されるように増幅部１１２へ出力する。即ち、セレクタ部１１１は、全ての送信信号処理部１０８−１〜１０８−ｎが正常な場合には、各送信信号処理部１０８−１〜１０８−ｎに対応するセクタへ送信されるように増幅部１１２へ出力し、１つまたは２つ以上の障害が発生した送信信号処理部１０８−１〜１０８−ｎがある場合には、予備の送信信号処理部１１０から入力した送信信号及び障害が発生した送信信号処理部１０８−１〜１０８−ｎの代わりに信号処理した正常な送信信号処理部１０８−１〜１０８−ｎの送信信号処理部１０８−１〜１０８−ｎから入力した送信信号を、障害が発生した送信信号処理部１０８−１〜１０８−ｎが本来送信するはずであったセクタへ送信されるように増幅部１１２へ出力する。
【００４０】
増幅部１１２は、セレクタ部１１１から入力した送信信号を増幅してアンテナ１１３−１〜１１３−ｎより対応するセクタへ向けて送信する。
【００４１】
次に、送信信号処理部１０８−１〜１０８−ｎの詳細について、図２を用いて説明する。なお、各送信信号処理部１０８−１〜１０８−ｎは、全て同一機能を有するものであって同一構成であるので、送信信号処理部１０８−１についてのみ説明して、送信信号処理部１０８−２〜１０８−ｎについては説明を省略する。
【００４２】
送信信号要求部２０１は、障害が発生した送信信号処理部１０８−２〜１０８−ｎにて処理されるはずであった送信信号を処理するように指示されない場合には、記憶部１０７−１から入力したリソース情報に含まれる制御コマンドを実行することにより、送信信号処理部１０８−１にて本来処理する送信信号をセレクタ部１０６へ要求する。また、送信信号要求部２０１は、障害が発生した送信信号処理部１０８−２〜１０８−ｎにて処理されるはずであった送信信号を処理するように指示された場合には、記憶部１０７−１から入力したリソース情報に含まれる制御コマンドを実行することにより、送信信号処理部１０８−１にて本来処理する送信信号と障害が発生した送信信号処理部１０８−２〜１０８−ｎにて処理されるはずであった送信信号とをセレクタ部１０６へ要求する。
【００４３】
セレクタ部２０２は、障害が発生した送信信号処理部１０８−２〜１０８−ｎにて処理されるはずであった送信信号を処理するように指示されない場合には、セレクタ部１０６から入力した自身の送信信号処理部１０８−１にて処理する送信信号を、記憶部１０７−１から入力したリソース情報に応じて割り当てられた所定の処理部２０３−１〜２０３−ｎへ出力する。また、セレクタ部２０２は、障害が発生した送信信号処理部１０８−２〜１０８−ｎにて処理されるはずであった送信信号を処理するように指示された場合には、セレクタ部１０６から入力した自身の送信信号処理部１０８−１にて処理する送信信号を、記憶部１０７−１から入力したリソース情報に応じて割り当てられた所定の処理部２０３−１〜２０３−ｎへ出力するとともに、セレクタ部１０６から入力した障害が発生した送信信号処理部１０８−２〜１０８−ｎにて処理するはずであった送信信号を、リソースとして割り当てられている所定の処理部２０３−１〜２０３−ｎへ出力する。
【００４４】
処理部２０３−１〜２０３−ｎは、セレクタ部２０２から入力した送信信号に対して信号拡散及び多重処理等のＷ−ＣＤＭＡの信号処理を行って多重部２０３へ出力する。
【００４５】
多重部２０３は、各処理部２０２−１〜２０２−ｎから入力した送信信号を多重してセレクタ部１１１へ出力する。多重部２０３は、各セクタへ送信する送信信号毎に多重化を行う。
【００４６】
次に、制御部１０２の詳細について、図３を用いて説明する。
【００４７】
記憶部３０１は、リソース情報生成部１０３から入力した各送信信号処理部１０８−１〜１０８−ｎのリソース情報を記憶する。そして、記憶部３０１は、検索部３０２の指示により検索した結果を検索部３０２へ出力する。
【００４８】
検索部３０２は、監視部１０１からいずれかの送信信号処理部１０８−１〜１０８−ｎに障害が発生した旨の情報が入力した場合には、予備の送信信号処理部１１０が障害の発生した送信信号処理部１０８−１〜１０８−ｎのリソース以上の空きリソースを有するか否かを検索する。検索部３０２は、予備の送信信号処理部１１０が未使用である場合または予備の送信信号処理部１１０が障害の発生した送信信号処理部１０８−１〜１０８−ｎのリソース以上の空きリソースを有する場合には、予備の送信信号処理部１１０の専用の記憶部１０９へ、障害が発生した送信信号処理部１０８−１〜１０８−ｎのリソース情報を出力する指示信号を出力する。一方、検索部３０２は、予備の送信信号処理部１１０の空きリソースが、障害の発生した送信信号処理部１０８−１〜１０８−ｎのリソース未満の場合には、記憶部３０１に記憶されている各送信信号処理部１０８−１〜１０８−ｎのリソース情報より、障害が発生した送信信号処理部１０８−１〜１０８−ｎのリソース以上の空きリソースを有する送信信号処理部１０８−１〜１０８−ｎを検索する。そして、検索部３０２は、障害が発生した送信信号処理部１０８−１〜１０８−ｎの代わりに信号処理を行う正常な送信信号処理部１０８−１〜１０８−ｎとして選択された送信信号処理部１０８−１〜１０８−ｎの専用の記憶部１０７−１〜１０７−ｎへ、障害が発生した送信信号処理部１０８−１〜１０８−ｎのリソース情報を出力することを指示する指示信号を出力する。この指示信号は、障害が発生した送信信号処理部１０８−１〜１０８−ｎの信号処理を代替えの正常な送信信号処理部１０８−１〜１０８−ｎへ切り替える旨の短いメッセージであるため、リソース情報に比べて情報量は格段に少ないものである。
【００４９】
次に、冗長装置１１６の動作について、図４を用いて説明する。
【００５０】
最初に、監視部１０１は、障害が発生した送信信号処理部１０８−１〜１０８−ｎがあるか否かを監視する（ステップＳＴ４０１）。
【００５１】
送信信号処理部１０８−１〜１０８−ｎに障害が発生した場合には、制御部１０２は、障害が発生した送信信号処理部１０８−１〜１０８−ｎのリソースが予備の送信信号処理部１１０の空きリソース以下であるか否か（予備の送信信号処理部１１０が使えるか否か）を判定する（ステップＳＴ４０２）。
【００５２】
障害が発生した送信信号処理部１０８−１〜１０８−ｎのリソースが予備の送信信号処理部１１０の空きリソース以下でない場合（予備の送信信号処理部１１０が使えない場合）には、制御部１０２は、障害が発生した送信信号処理部１０８−１〜１０８−ｎのリソース以上の空きリソースを有する正常な送信信号処理部１０８−１〜１０８−ｎを検索する（ステップＳＴ４０３）。なお、検索の結果、空きリソースが無かった場合は、該当ユニットを使用不可状態（閉塞状態）に遷移させ、障害の発生を監視装置に通知する。
【００５３】
次に、制御部１０２は、障害が発生した送信信号処理部１０８−１〜１０８−ｎのリソース以上の空きリソースを有する正常な送信信号処理部１０８−１〜１０８−ｎに対して、障害が発生した送信信号処理部１０８−１〜１０８−ｎのリソース情報に含まれる制御コマンドを設定するように指示する（ステップＳＴ４０４）。
【００５４】
次に、障害が発生していない正常な送信信号処理部１０８−１〜１０８−ｎは、代替えの送信信号処理部１０８−１〜１０８−ｎとして自身の信号処理と障害が発生した他の送信信号処理部１０８−１〜１０８−ｎの信号処理との両方の信号処理を行う（ステップＳＴ４０５）。
【００５５】
ステップＳＴ４０２において、予備の送信信号処理部１１０が使える場合には、制御部１０２は、予備の送信信号処理部１１０の空きリソースに障害が発生した送信信号処理部１０８−１〜１０８−ｎのリソースを割り当てる（ステップＳＴ４０６）。
【００５６】
次に、予備の送信信号処理部１１０は、障害が発生した送信信号処理部１０８−１〜１０８−ｎのリソースが割り当てられた場合に障害が発生した送信信号処理部１０８−１〜１０８−ｎに代わって信号処理を行う（ステップＳＴ４０７）。
【００５７】
一方、ステップＳＴ４０１において、障害が発生していない場合には、空きリソースの検索等を行うことなく、そのまま信号処理を継続する（ステップＳＴ４０８）。
【００５８】
次に、制御部１０２は、信号処理を終了するか否かを判定し（ステップＳＴ４０９）、終了しない場合にはステップＳＴ４０１〜ステップＳＴ４０８の処理を繰り返す。
【００５９】
次に、障害が発生した送信信号処理部１０８−１〜１０８−ｎのリソースを正常な送信信号処理部１０８−１〜１０８−ｎの空きリソースに割り当てる方法について、図５〜図７を用いて説明する。
【００６０】
図５〜図７は、送信信号処理部１０８−１〜１０８−ｎと同一構成であるｎ（ｎは２以上の自然数）個の送信信号処理部と予備の送信信号処理部１１０と同一構成である１つの予備の送信信号処理部を有する場合を示している。図５は、全ての送信信号処理部＃１〜＃ｎが正常である場合の各送信信号処理部＃１〜＃ｎ及び予備の送信信号処理部の使用リソース及び空きリソースを示したものである。図６は、送信信号処理部＃２が故障した場合の各送信信号処理部＃１〜＃ｎ及び予備の送信信号処理部の使用リソース及び空きリソースを示したものである。図７は、送信信号処理部＃２と送信信号処理部＃３が故障した場合の各送信信号処理部＃１〜＃ｎ及び予備の送信信号処理部の使用リソース及び空きリソースを示したものである。
【００６１】
全ての送信信号処理部が正常である場合、図５に示すように、送信信号処理部＃１は、自身の信号処理用に３０％のリソース＃５０１を使用しており、空きリソース＃５０２は７０％になる。送信信号処理部＃２は、自身の信号処理に７０％のリソース＃５０３を使用しており、空きリソース＃５０４は３０％になる。送信信号処理部＃３は、自身の信号処理に５０％のリソース＃５０５を使用しており、空きリソース＃５０６は５０％になる。また、予備の送信信号処理部は、使用されないため使用リソースは０％であり、空きリソースは１００％になる。
【００６２】
全ての送信信号処理部が正常である状態から送信信号処理部＃２が故障した場合、図６に示すように、送信信号処理部＃１は、自身の信号処理用に３０％のリソース＃５０１を使用しており、空きリソース＃５０２は７０％になる。送信信号処理部＃２は、故障したために使用不能の状態である。送信信号処理部＃３は、自身の信号処理に５０％のリソース＃５０５を使用しており、空きリソース＃５０６は５０％になる。また、予備の送信信号処理部は、制御部１０２の指示により障害が発生した送信信号処理部＃２のリソース＃５０３が割り当てられるため、送信信号処理部＃２の信号処理用に７０％のリソース＃５０３を使用しており、空きリソース＃６０１は３０％になる。
【００６３】
送信信号処理部＃２が故障した状態からさらに送信信号処理部＃３も故障した場合、図７に示すように、予備の送信信号処理部の空きリソース＃６０１が３０％であり、故障した送信信号処理部＃３のリソース＃５０５が５０％であることから、予備の送信信号処理部の空きリソース＃６０１に送信信号処理部＃３のリソースを割り当てることができない。したがって、制御部１０２は、空きリソース＃５０２が７０％である送信信号処理部＃１を検索して、送信信号処理部＃１の空きリソース＃５０２に故障した送信信号処理部＃３のリソースを割り当てることを決定する。これにより、送信信号処理部＃１は、自身の信号処理に３０％のリソース＃５０１使用し、送信信号処理部＃３の信号処理に５０％のリソース＃５０５を使用するので、合計８０％のリソースを使用し、空きリソース＃７０１は２０％になる。予備の送信信号処理部は、送信信号処理部＃２の信号処理用に７０％のリソース＃５０３を使用しており、空きリソース＃６０１は３０％になる。
【００６４】
このように、本実施の形態１によれば、各送信信号処理部１０８−１〜１０８−ｎは、全ての送信信号処理部１０８−１〜１０８−ｎのリソース情報を記憶部にあらかじめ記憶しておくので、障害が発生した際には、制御部１０２は障害が発生した送信信号処理部１０８−１〜１０８−ｎの代替えの送信信号処理部１０８−１〜１０８−ｎまたは予備の送信信号処理部１１０に対して、切り替えを指示する短いメッセージのみを送信すれば良い。これにより、短時間で代替えの送信信号処理部１０８−１〜１０８−ｎを運用状態に移行することができるので、障害が発生した送信信号処理部１０８−１〜１０８−ｎの信号処理を早期に再開することができ、障害の発生による影響を最小限に抑えることができる。また、制御部１０２は、障害発生後に障害が発生した送信信号処理部１０８−１〜１０８−ｎのリソース情報を代替えの送信信号処理部１０８−１〜１０８−ｎまたは予備の送信信号処理部１１０へ送信する必要がないので、送信する途中の障害等により情報漏れを生じることがなく、信頼性を高めることができる。
【００６５】
また、本実施の形態１によれば、予備の送信信号処理部１１０がすでに使用されている場合において、新たに送信信号処理部１０８−１〜１０８−ｎに障害が発生した場合には、障害が発生した送信信号処理部１０８−１〜１０８−ｎのリソース以上の空きリソースを有する正常な送信信号処理部１０８−１〜１０８−ｎを検索して、検索した送信信号処理部１０８−１〜１０８−ｎの空きリソースに障害が発生した送信信号処理部１０８−１〜１０８−ｎのリソースを割り当てるので、代替えの送信信号処理部の不足によりシステムダウンしてしまうことを防止することができる。
【００６６】
（実施の形態２）
図８は、本実施の形態２に係る送信装置８００の構成を示す図である。送信装置８００は、図１に示す本実施の形態１に係る送信装置１００において、予備の信号処理ユニット１１５を削除するものである。なお、図１と同一構成である部分は同一の符号を付してその説明は省略する。
【００６７】
監視部１０１、制御部１０２、リソース情報生成部１０３、記憶部１０７−１〜１０７−ｎ及び送信信号処理部１０８−１〜１０８−ｎは冗長装置８０１を構成している。
【００６８】
次に、冗長装置８０１の動作について、図９を用いて説明する。
【００６９】
最初に、監視部１０１は、障害が発生した送信信号処理部１０８−１〜１０８−ｎがあるか否かを監視する（ステップＳＴ９０１）。
【００７０】
制御部１０２は、障害が発生した送信信号処理部１０８−１〜１０８−ｎのリソース以上の空きリソースを有する正常な送信信号処理部１０８−１〜１０８−ｎを検索する（ステップＳＴ９０２）。なお、検索の結果、空きリソースが無かった場合は、該当ユニットを使用不可状態（閉塞状態）に遷移させ、障害の発生を監視装置に通知する。
【００７１】
次に、制御部１０２は、障害が発生した送信信号処理部１０８−１〜１０８−ｎのリソース以上の空きリソースを有する正常な送信信号処理部１０８−１〜１０８−ｎに対して、障害が発生した送信信号処理部１０８−１〜１０８−ｎのリソース情報に含まれる制御コマンドを設定するように指示する（ステップＳＴ９０３）。
【００７２】
次に、障害が発生していない正常な送信信号処理部１０８−１〜１０８−ｎは、自身の信号処理と障害が発生した他の送信信号処理部１０８−１〜１０８−ｎの信号処理との両方の信号処理を行う（ステップＳＴ９０４）。
【００７３】
一方、ステップＳＴ９０１において、障害が発生していない場合には、そのまま信号処理を継続する（ステップＳＴ９０５）。
【００７４】
次に、制御部１０２は、信号処理を終了するか否かを判定し（ステップＳＴ９０６）、終了しない場合にはステップＳＴ９０１〜ステップＳＴ９０５の処理を繰り返す。
【００７５】
次に、障害が発生した送信信号処理部１０８−１〜１０８−ｎのリソースを正常な送信信号処理部１０８−１〜１０８−ｎの空きリソースに割り当てる方法について、図１０〜図１２を用いて説明する。
【００７６】
図１０〜図１２は、送信信号処理部１０８−１〜１０８−ｎと同一構成であるｎ（ｎは２以上の自然数）個の送信信号処理部を示している。図１０は、全ての送信信号処理部＃１〜＃ｎが正常である場合の各送信信号処理部＃１〜＃ｎの使用リソース及び空きリソースを示したものである。図１１は、送信信号処理部＃２が故障した場合の各送信信号処理部＃１〜＃ｎの使用リソース及び空きリソースを示したものである。図１２は、送信信号処理部＃２と送信信号処理部＃３が故障した場合の各送信信号処理部＃１〜＃ｎの使用リソース及び空きリソースを示したものである。
【００７７】
全ての送信信号処理部が正常である場合、図１０に示すように、送信信号処理部＃１は、自身の信号処理用に３０％のリソース＃１００１を使用しており、空きリソース＃１００２は７０％になる。送信信号処理部＃２は、自身の信号処理に７０％のリソース＃１００３を使用しており、空きリソース＃１００４は３０％になる。送信信号処理部＃３は、自身の信号処理に５０％のリソース＃１００５を使用しており、空きリソース＃１００６は５０％になる。また、送信信号処理部＃ｎは、自身の信号処理用に１０％のリソース＃１００７を使用しており、空きリソース＃１００８は９０％になる。
【００７８】
全ての送信信号処理部が正常である状態から送信信号処理部＃２が故障した場合、図１１に示すように、送信信号処理部＃１と送信信号処理部＃３は、図１０の場合と変わらずにそのままのリソースにて自身の信号処理を行う。送信信号処理部＃２は、故障のために使用不能の状態である。制御部１０２は、空きリソース＃１００８が９０％である送信信号処理部＃ｎを検索し、障害が発生した送信信号処理部＃２のリソース＃１００３を割り当てる。したがって、送信信号処理部＃ｎは、自身の信号処理用に１０％のリソース＃１００７を使用し、送信信号処理部＃２の信号処理用に７０％のリソース＃１００３を使用するので、合計８０％のリソースを使用し、空きリソース＃１１０１は２０％になる。
【００７９】
送信信号処理部＃２が故障した状態からさらに送信信号処理部＃３も故障した場合、図１２に示すように、制御部１０２は、送信信号処理部＃３のリソース＃１００５以上の空きリソース＃１００２を有する送信信号処理部＃１を検索し、障害が発生した送信信号処理部＃３のリソース＃１００５を割り当てる。したがって、送信信号処理部＃１は、自身の信号処理用に３０％のリソース＃１００１を使用し、送信信号処理部＃３の信号処理用に５０％のリソース＃１００５を使用し、空きリソース＃１２０１は２０％になる。送信信号処理部＃ｎは、図１１の場合と変わらずにそのままのリソースの割り当てにて信号処理を行う。
【００８０】
このように、本実施の形態２によれば、各送信信号処理部１０８−１〜１０８−ｎは、全ての送信信号処理部１０８−１〜１０８−ｎのリソース情報を記憶部にあらかじめ記憶しておくので、障害が発生した際には、制御部１０２は障害が発生した送信信号処理部１０８−１〜１０８−ｎの代替えの送信信号処理部１０８−１〜１０８−ｎに対して、切り替えを指示する短いメッセージのみを送信すれば良い。これにより、短時間で代替えの送信信号処理部１０８−１〜１０８−ｎを運用状態に移行することができるので、障害が発生した送信信号処理部１０８−１〜１０８−ｎの信号処理を早期に再開することができ、障害の発生による影響を最小限に抑えることができる。また、制御部１０２は、障害発生後に障害が発生した送信信号処理部１０８−１〜１０８−ｎのリソース情報を代替えの送信信号処理部１０８−１〜１０８−ｎへ送信する必要がないので、送信する途中の障害等により情報漏れを生じることがなく、信頼性を高めることができる。
【００８１】
また、本実施の形態２によれば、障害が発生した送信信号処理部１０８−１〜１０８−ｎのリソース以上の空きリソースを有する複数の正常な送信信号処理部１０８−１〜１０８−ｎの中から障害が発生した送信信号処理部１０８−１〜１０８−ｎの代替えとなる正常な送信信号処理部１０８−１〜１０８−ｎを検索して、検索した送信信号処理部１０８−１〜１０８−ｎの空きリソースに障害が発生した送信信号処理部１０８−１〜１０８−ｎのリソースを割り当てるので、代替えの送信信号処理部の不足によりシステムダウンしてしまうことを防止することができる。
【００８２】
また、本実施の形態２によれば、予備の送信信号処理部を備える必要がないので、回路規模を小さくすることができるとともに、装置全体を小型化することができる。
【００８３】
なお、上記実施の形態１及び実施の形態２において、冗長装置は送信装置に適用することとしたが、これに限らず、受信装置等の任意の装置に適用可能である。また、上記実施の形態１及び実施の形態２において、冗長装置は無線にて送信する送信装置に適用することとしたが、これに限らず、光ファイバー等のケーブルを用いて送信信号を伝送する有線の通信装置にも適用可能であり、さらに光ファイバー等のケーブルを用いて受信信号を受信する有線の通信装置にも適用可能である。
【００８４】
【発明の効果】
以上説明したように、本発明によれば、全てのリソース情報を直ちに読み出すことができる状態であらかじめ記憶しておくことにより、障害が発生した際に早期に信号処理を再開することができ、障害の発生による影響を最小限に抑えることができる。
【図面の簡単な説明】
【図１】本発明の実施の形態１に係る送信装置の構成を示すブロック図
【図２】本発明の実施の形態１に係る送信信号処理部の構成を示すブロック図
【図３】本発明の実施の形態１に係る制御部の構成を示すブロック図
【図４】本発明の実施の形態１に係る冗長装置の動作を示すフロー図
【図５】本発明の実施の形態１に係る送信信号処理部及び予備の送信信号処理部のリソース及び空きリソースを示す図
【図６】本発明の実施の形態１に係る送信信号処理部及び予備の送信信号処理部のリソース及び空きリソースを示す図
【図７】本発明の実施の形態１に係る送信信号処理部及び予備の送信信号処理部のリソース及び空きリソースを示す図
【図８】本発明の実施の形態２に係る送信装置の構成を示すブロック図
【図９】本発明の実施の形態２に係る冗長装置の動作を示すフロー図
【図１０】本発明の実施の形態２に係る送信信号処理部及び予備の送信信号処理部のリソース及び空きリソースを示す図
【図１１】本発明の実施の形態２に係る送信信号処理部及び予備の送信信号処理部のリソース及び空きリソースを示す図
【図１２】本発明の実施の形態２に係る送信信号処理部及び予備の送信信号処理部のリソース及び空きリソースを示す図
【図１３】セルを細分化するセクタを示す図
【図１４】従来の基地局装置の信号処理部の構成を示す図
【符号の説明】
１００  送信装置
１０１  監視部
１０２  制御部
１０３  リソース情報生成部
１０７−１〜１０７−ｎ、１０９  記憶部
１０８−１〜１０８−ｎ  送信信号処理部
１１０  予備の送信信号処理部
１１４−１〜１１４−ｎ  信号処理ユニット
１１５  予備の信号処理ユニット
１１６  冗長装置
【図１】
2004355273.tif 000003
【図２】
2004355273.tif 000004
【図３】
2004355273.tif 000005
【図４】
2004355273.tif 000006
【図５】
2004355273.tif 000007
【図６】
2004355273.tif 000008
【図７】
2004355273.tif 000009
【図８】
2004355273.tif 000010
【図９】
2004355273.tif 000011
【図１０】
2004355273.tif 000012
【図１１】
2004355273.tif 000013
【図１２】
2004355273.tif 000014
【図１３】
2004355273.tif 000015
【図１４】
2004355273.tif 000016